(57)【要約】      （修正有）【課題】火災現場や訓練等での使用に適した、短時間で緻密で弛みの無い二重巻きホースが出来る軽量の巻き取り装置を提供する。【解決手段】ガイド走行するホース架台の任意箇所に走行方向に直交して、水平同軸心の適宜な圧接面を擁した圧側プレート６（Ｒ、Ｌ）を配設し、ホース７を挟圧支持しつつ回転させる。【選択図】図３
2010082355.tif 000002
【特許請求の範囲】
【請求項１】
巻き取り消防ホースがガイドされ走行する機台の任意の箇所に、走行向に直交して初成段階の呼び巻きホースの両側を水平同軸心の適宜な圧接面を擁した圧側プレートで挟圧保持しつつ、該圧側プレートの回転によりガイド走行するホースを巻き取り、巻き終えた後は該圧側プレート間の挟持を解き放つことでホースを容易に機台装置より取り外し可能なことを特長とする消防ホース巻き取り機。
【請求項２】
ホースをガイドして走行する架台の任意の一部もしくは全部を断面樋状としてホース巻き取り上流部に手巻きガイド部を設け且つ圧側プレート支軸の下方位に相対する架台のホース走行面の任意箇所に走行方向に直交して回動自在の任意径ローラーを配設したことを特長とする請求項１に記載の消防ホース巻き取り機。
【請求項３】
ホースをガイドする外径をホース幅に見合った凹状としたことを特徴とする請求項１および請求項２に記載の消防ホース巻き取り機。
【発明の詳細な説明】
【技術分野】
【０００１】
本発明は、消防用ホースを弛み無く確実に巻き取る消防ホース巻き取り機に関するものである。
【背景技術】
【０００２】
通常、消防用ホースは火災現場に向かってスムーズに展長（延ばす）できるように二重にしてロール状に巻いて（以下、二重巻き）、消防車両を始め、防災倉庫等に格納、保管されている。火災時、訓練等で使用された（展長された）ホースを再び使用するには巻き直す必要があり、その二重巻きは簡易な補助具を用い手作業で行われていることが多い。
【０００３】
人員が入れ替わることが多い消防団（以下、分団）の責務の中で、経験上の若手団員を災害時に対応できるように育てることは必要不可欠である。そういった観点から行政地区単位で消防団総合訓練大会（操法大会）が実施されており、優秀な成績を修めた分団は全国大会出場となる。例えれば“消防団の甲子園”であり、分団は元より地区、自治体の誇りとなる。
【０００４】
消火活動を遅滞無く行うための基本としてホースの展長動作があり、前述の大会に向けた訓練では大会選手の分団員はホースの展長を繰り返すことで、その“コツ”を身に付けてゆく。選手にとって確実な動作をするには、個人差はあるが弛み無く巻かれたホースが求められる。
【０００５】
通常、長さ20メートルの正規の消防用ホースを二重巻きにするには、“巻き手”と、それを補佐する“支え手”の二人で行う。ホースはポンプの強い水圧に耐えれるように厚手に製作されており、繰り返しホースを巻かなければならない訓練では、弛み無くホースを巻く必要のある“巻き手”の負担がかなり大きい。極論すれば消防団はボランティアであり、訓練に対する個人の意識、姿勢も異なり、巻き手”の巻き方が様々なのが現実である。巻き具合に違いがあれば、そのホースを展長する者が戸惑うこととなる。
【０００６】
以上、本発明に関する消防団訓練のことを主に述べたが、実際の火災現場で使用されるホースに置きかえても全く同様である。
【発明の開示】
【発明が解決しようとする課題】
【０００７】
上記の問題を克服せんと訓練において展長したホースを巻き取るため、各種形態の巻き取り機が案出されている。代表的なものには回転円盤の中心に一対の巻取棒を設けこの巻取棒にホースを絡めてこれを回転させ巻き取る構造のものがある。
【０００８】
しかしながら、この形態のホース巻き取り機では、ホースは迅速に巻き取れるものの巻き取ったホースが絡め用巻取棒相互を締め付けるため、必然、固く巻き取る程にホースを装置の巻き付け棒から取り外すのが困難で引抜く際にピラミッド状にそのロール形態が崩れてしまう問題等があり、その形状も大きい。
【０００９】
こうした現状に鑑み本発明では、“巻き手”の巻き具合の個人差を少なくし、誰もが消防用ホースを弛み無く迅速に巻き取ることができ、かつ、巻き取ったホースが容易に装置より取り外し可能なホース巻き取り機を提供することを目的としている。
【課題を解決するための手段】
【００１０】
上記目的を達成するために請求項１に記載の考案は、ガイド走行可能なホース走路上にて先ず種ともなるべく小さく巻いたホースをその両側より水平同軸心の圧側プレートで挟圧支持しつつ該圧側プレートの手動回転によりガイドで規制走行させたホースを巻き取り、巻き終えた後は該圧側プレート間の挟持を解き放つことでホースを容易に装置より取り外し可能としている。
【００１１】
さらに、回転する圧側プレート下方のガイド走行面には走行方向に直交して回動自在のローラーを配すことで、巻き取るホースには直交する線接触の連続する回転圧力が与えられ、ホースの自重あるいは適度な加圧によりホース内の空気抜きとスムーズな巻き取りがきわめて容易に実現出来、その巻き取り効率を高めている。
【発明の効果】
【００１２】
上記のように本発明装置は、消防用ホース巻きに習熟していない経験上の若手の者でも素早く、きれいにホースを傷めることなく確実な二重巻き作業ができ、かつ巻き取ったホースを型崩れさせることなく容易に装置より取り外すことができるのである。
【００１３】
加えて、シンプルで軽量な装置なので容易に所要の箇所に持ち運び移動ができるので、トータルな作業効率の向上ひいては労力資源の節約にも寄与する。
【発明を実施するための最良の形態】
【００１４】
次に本発明の実施形態の一例を、判りやすく図示した図面をもとに説明すると本装置は大略、ベース１と、これに支持されて軸揺動する一対のアーム５(Ｒ,Ｌ)およびその先端部位に備えた対向する巻き取り圧側プレート６(Ｒ,Ｌ)とによって構成されている。（便宜のため巻き取り作業員が上方から本装置を見て右側をＲ、左側をＬ、手前側を上流、前方を下流として説明。）
【００１５】
まず、巻き取るホース７巾に若干の余裕（調整可能が好ましい）をもたせた内巾寸の木材、金属あるいは樹脂等にて成型された樋形状のガイドベース１があり、そのホース7が走行する樋凹面が上面になるように足２を前後にはかせて装置基体としている。
【００１６】
ベース１の、樋部下の位置にはホース走行に直交して中空のアーム軸３が揺動自在に回転ユニット４にてその軸方向には移動することなく水平支承してある（本説明では下流方に配設しているが上流方としても可）。該アーム軸３両端には、伸張した一対のアーム５(Ｒ,Ｌ)がベース１を挟んでその基部を該アーム軸３に平行に固設。垂立してベース１の樋上辺を対称に平行して揺動可能に配設してある。
【００１７】
また、該アーム軸３両短部には摺動フランヂメタル１９を嵌着し内部にプレート回転軸８を回転自在に貫通させ、その両端には同歯数の歯形プーリー１０をキー溝と止めネジで固着してあり、その片端には同回転軸８を転動させるべく加圧ハンドル１１が取り付けてある。同ハンドル１１には後述する加圧状態においてアーム５Ｒにその状態を堅持する係止装置（図示せず）を備えてある。
【００１８】
アーム５の先端にはそれぞれ中心に貫通した相互に逆となる角雌ネジ加工を施したアームブロック１２(Ｒ,Ｌ)（例：１２Ｒが左ネジ、１２Ｌが右ネジ）が同軸対称に溶着してあり、これにやはり相互に逆となる雄ネジ加工をした中間ブロック１３をそれぞれネジ嵌合させてあり、該ブロック１３の外端には従動歯形プーリー１４を固着。その軸手内部にはベアリング１５を介し、対向する圧側プレート６(Ｒ,Ｌ)の支軸である圧側プレート軸１６(Ｒ,Ｌ)が互いに水平同軸心線上にすなわちアーム軸３と平行軸で回転自在となっている
【００１９】
圧側プレート６(Ｒ,Ｌ)は、その相互の対向面を多角、例えば正六角形とし表面には適宜な弾性を有し表面凹凸形状の加工を施して摩擦係数を高めたパッド１０を貼着あるいは螺着にて任意に圧側プレート６(Ｒ,Ｌ)より着脱交換が随時可能な形態としてある。
【００２０】
プレート軸１６(Ｒ,Ｌ)の圧側プレート６(Ｒ,Ｌ)の反対側端末にはホース回転ハンドル１７が着脱もしくは折り畳み収容可能に取り付けてある。
【００２１】
さらに、圧側プレート６(Ｒ,Ｌ)下辺のベース１におけるホース７走行面には開口部を設けその部所にはホース７走行に直交してその上面がベース１のホース走行面とほぼ均一面となるよう回動自在のローラー20を任意数架設してある。
【００２２】
また図１のごとくベース１のアーム軸３に支承されたアーム５(Ｒ,Ｌ)揺動による圧側プレート６(Ｒ,Ｌ)との干渉部位には弧状の切り欠き１９が加工されており、さらにガイドベース１の巻き取り部の切り欠き１９の上流方の樋部両サイドはその立ち上がり寸法を低くして手巻きのロール作業をし易く配慮してある。
【００２３】
ストッパー１８はベース１両サイドに付設されアーム５(Ｒ,Ｌ)すなわち圧側プレート６(Ｒ,Ｌ)への過揺動を制限して切り欠き１９との接触防止を図っている。
【００２４】
左右の駆動歯形プーリー１０と従動歯型プーリー１４にはそれぞれに歯形ベルト２１がカバー（図示せず）で覆われ張架してあり、加圧ハンドル１１回転により中間ブロック１３(Ｒ,Ｌ)を左右同期回転させる。すなわち、アーム５(Ｒ,Ｌ)に固着したアームブロック１２(Ｒ,Ｌ)との左右の逆ネジ嵌合により同ブロック１３をひいてはこれに軸貫する回転自在の圧側プレート軸１６(Ｒ,Ｌ) を軸方向に前後移動させその樋側端の圧側プレート６(Ｒ,Ｌ)をベース１樋のホース７走行路中央を対称軸にして互いの間隙の広狭を変化し得る構造としてある。
【００２５】
以上のごとく構成された本装置は、まずベース１の上流部Aにて手巻きにて小ロールのホース７Aを形成し切り欠き１９の部位にこれを置き、ストッパー１８により同部位に待機している開放状態の圧側プレート６(Ｒ,Ｌ)の軸心位置を同小径ホース７Aの中心に概略見合わせる。加圧ハンドル１１の加圧回転により圧側プレート６(Ｒ,Ｌ)にて左右両側から任意の圧力で挟持し、さらにその状態を保持しつつ回転ハンドル１７(Ｒ,Ｌ)にてホースの巻き取りを行うものである。
【００２６】
そして巻き終えた後は加圧ハンドル１１の開放回転によりホース７の挟持を解除しピンパッド１０との間隙を持たせることで、巻き終えたホースを型崩れさせることなく簡単に装置より取り外すことができるのである。
【００２７】
本装置では小径ホース７Aと圧側プレート６の若干の芯ぶれは稼動に差し支えないのであるが、互いの芯を整合させより確実な安定巻きを狙いとし、図示はしていないが圧側プレート６の相対向する中心にパッド１０を貫通して小さい突起体を設けたり、圧側プレート軸１６(Ｒ,Ｌ)に貫通する軸穴にピンを摺動可能とし該ピンのホース７A中心への出入れにより芯決めを図るなどの手段を付加してもよい。
【００２８】
また、請求項３は同趣旨のもとにホースをガイドするローラー２０の外径をホース幅に見合った凹状とし全体のスムーズ走行を図ったものであり、ホースの種類に対応して交換可能としている。
【００２９】
本説明では手動による圧側プレート６左右の両移動、駆動としているが片面移動あるいは片面駆動としてもよいのであり、本装置に複数のキャスターを配設してホースの長手方向へ走行させることにより、ホースを本装置側へ引きずることなく、地面に載置した状態の下で容易に巻き取ることも出来るなど、本発明の要旨を踏まえての様々な応用が他にも可能である。
【図面の簡単な説明】
【００３０】
【図１】装置の一例を示した平面図である。
【図２】装置の一例を示した側面図である。
【図３】装置の一例を下流方向より示した図である。
【符号の説明】
【００３１】
１      ベース
３      アーム軸
５      アーム
７      圧側プレート
１１    ハンドル(加圧)
１７    ハンドル(ホース回転)
【図１】
2010082355.tif 000003
【図２】
2010082355.tif 000004
【図３】
2010082355.tif 000005